(57)【要約】      （修正有）【課題】髪を締め付けにくく、カールさせる間に髪がダメージを受けることを避けるヘアカーラーを提供する。【解決手段】第１プレートと、第２プレートとを含むヘアカーラーであり、第１プレートは第１ヒーター７を有し、第２プレートは第２ヒーター８を有する。第１ヒーターと第２ヒーターは、圧力バネ５を介して、それぞれ第１プレートと第２プレートに支持されるとともに、第１プレートおよび第２プレートが閉じられた状況にあるとき、第１ヒーターと第２ヒーターとの間には０．０６ｍｍから０．１２ｍｍの空間が確保される。人毛の寸法はおよそ０．０８ｍｍであり、髪は、ダメージを受けることなく、確保された空間をスムーズに通る。【選択図】図２
0003201456.tif 000002
【実用新案登録請求の範囲】
【請求項１】
第１プレートと、
第２プレートと
を備え、
前記第１プレートは第１ヒーターを有し、
前記第２プレートは第２ヒーターを有し、
前記第１プレートおよび前記第２プレートが閉じられた状況にあるとき、前記第１ヒーターと前記第２ヒーターとの間には０．０６ｍｍから０．１２ｍｍの確保された空間がある、ヘアカーラー。
【請求項２】
前記第１プレートはフレキシブルなヒンジにより前記第２プレートとヒンジ接続され、
前記フレキシブルなヒンジは、前記第１プレートおよび前記第２プレートの相対的な回転を制限する位置制限器を含み、
前記第２プレートは、前記位置制限器に対応する制限段差を含む、請求項１に記載のヘアカーラー。
【請求項３】
前記第１プレートおよび前記第２プレートの両端は、サポートバルジを含み、
前記サポートバルジは互いに接触する、請求項２に記載のヘアカーラー。
【請求項４】
複数の前記サポートバルジは球形の複数のバルジである、請求項３に記載のヘアカーラー。
【請求項５】
前記第１ヒーターと前記第１プレートとの間、および前記第２ヒーターと前記第２プレートとの間の複数の圧力ばねを備える、請求項１に記載のヘアカーラー。
【請求項６】
前記第１ヒーターと前記第１プレートとの間の２つの前記圧力ばねと、前記第２ヒーターと前記第２プレートとの間の２つの前記圧力ばねとを備え、
各前記圧力ばねの歪み範囲は、０．２４５Ｎから０．６８６Ｎである、請求項５に記載のヘアカーラー。
【請求項７】
前記第１プレートおよび前記第２プレートを開くために用いられる締め金を前記第１プレートの端部に備え、
前記締め金の歪み範囲は、８Ｎから１６．８９Ｎである、請求項５に記載のヘアカーラー。
【請求項８】
複数の前記サポートバルジの面には多くの熱放出穴がある、請求項３または４に記載のヘアカーラー。
【請求項９】
前記第１プレートおよび前記第２プレートの両方の複数のコーティングには、感熱性色変化塗装が噴霧される、請求項８に記載のヘアカーラー。
【請求項１０】
前記第１ヒーターと前記第２ヒーターとのうち少なくとも一方には蒸気放出のための複数の溝がある、請求項９に記載のヘアカーラー。
【考案の詳細な説明】
【技術分野】
【０００１】
本考案は、理容器具の技術分野に関し、特に、一種のヘアカーラーに関する。
【背景技術】
【０００２】
現在、ストレートにするためと、カールさせるための両方のためのいくつかのヘアカーラーが既にある。それらは、ハンドル、複数の加熱プレート、およびヘアカーラーからなる主な構造を有する。しかし、ストレートにする、またはカールさせる間にこれらのヘアカーラーの複数の加熱プレートは、複数のプレートの間に配置される髪がより少なく、複数の加熱プレートの締付力が大きいときに、かなり髪を締め付け易く、ダメージを与え易い。加えて、複数のプレートが高温に達したとき、ヘアカーラーの温度はかなり高温になり、このことにより、同電気製品を用いるときにユーザの肌を火傷させ得、ユーザに多くの不便さをもたらす。
【０００３】
したがって、髪を締め付けにくいヘアカーラーを提供することは当業者が解決すべき技術的問題である。
【考案の概要】
【考案が解決しようとする課題】
【０００４】
このことを鑑みて、本考案は、髪を締め付けにくく、カールさせる間に髪がダメージを受けることを避けるヘアカーラーを提供する。
【課題を解決するための手段】
【０００５】
上記問題を解決するために、本考案は、第１プレートと、第２プレートとを含むヘアカーラーを提供する。第１プレートは第１ヒーターを有し、第２プレートは第２ヒーターを有する。第１プレートおよび第２プレートが閉じられた状況にあるとき、第１ヒーターと第２ヒーターとの間には０．０６ｍｍから０．１２ｍｍの確保された空間がある。
【０００６】
好ましくは、上記のヘアカーラーにおいて、第１プレートはフレキシブルなヒンジにより第２プレートとヒンジ接続される。フレキシブルなヒンジは、第１プレートおよび第２プレートの相対的な回転を制限する位置制限器を含む。第２プレートは、位置制限器に対応する制限段差を含む。
【０００７】
好ましくは、上記のヘアカーラーにおいて、第１プレートおよび第２プレートの両端は、サポートバルジを含む。複数のサポートバルジは互いに接触する。
【０００８】
好ましくは、上記のヘアカーラーにおいて、複数のサポートバルジは球形の複数のバルジである。
【０００９】
好ましくは、上記のヘアカーラーは、第１ヒーターと第１プレートとの間、および第２ヒーターと第２プレートとの間の複数の圧力ばねを備える。
【００１０】
好ましくは、上記のヘアカーラーは、第１ヒーターと第１プレートとの間の２つの圧力ばねと、第２ヒーターと第２プレートとの間の２つの圧力ばねとを備える。各圧力ばねの歪み範囲は、０．２４５Ｎから０．６８６Ｎである。
【００１１】
好ましくは、上記のヘアカーラーは、第１プレートおよび第２プレートを開くために用いられる締め金を第１プレートの端部に備える。締め金の歪み範囲は、８Ｎから１６．８９Ｎである。
【００１２】
好ましくは、上記のヘアカーラーにおいて、複数のサポートバルジの面には多くの熱放出穴がある。
【００１３】
好ましくは、上記のヘアカーラーにおいて、第１プレートおよび第２プレートの両方の複数のコーティングには、感熱性色変化塗装が噴霧される。
【００１４】
好ましくは、上記のヘアカーラーにおいて、第１ヒーターおよび（または）第２ヒーターには蒸気放出のための複数の溝がある。
【００１５】
本考案は、第１プレートと、第２プレートとを含むヘアカーラーを提供し、第１プレートは第１ヒーターを有し、第２プレートは第２ヒーターを有する。第１プレートおよび第２プレートが閉じられた状況にあるとき、第１ヒーターと第２ヒーターとの間には０．０６ｍｍから０．１２ｍｍの確保された空間がある。同電気製品の利用において第１ヒーターと第２ヒーターとの間の髪の房がより少ないとき、２つのヒーター間に０．０６ｍｍから０．１２ｍｍである確保された空間があり、人毛の寸法がおよそ０．０８ｍｍであり、このことが意味するのは複数のプレートの間の髪の房がしっかりとは把持されないであろうということであるのを考慮し、ほぼ閉じられた状況になるまで複数のプレートを保持する。このやり方で、複数のプレートを閉じるときに生じる締付力は大幅に小さくなり、髪は、大きな締付力によって締め付けられる、またはダメージを受けることなく、確保された空間をスムーズに通る。
【図面の簡単な説明】
【００１６】
以下は、本考案または既存の技術の実施形態における技術方式を説明するための、本考案または本技術方式の実施形態において用いられる複数の説明図の簡単な紹介である。明らかに、以下に説明される複数の説明図は、本考案の複数の実施形態のうちいくつかに過ぎない。当業者は、創造的な作業を行うことなくこれらの説明図から他の複数の説明図を思いつくことが出来るであろう。
【図１】本考案の実施形態におけるヘアカーラーの全体構造図である。
【図２】図１の断面図である。
【図３】図２のＡ部の部分的拡大図である。
【図４】図２のＢ部の部分的拡大図である。
【図５】図１の左側図である。
【００１７】
図１から図５においては以下の通りである。  第１プレート：１
第２プレート：２
締め金：３
ハンドル：４
圧力ばね：５
トーションばね：６
第１ヒーター：７
第２ヒーター：８
第１筐体：９
第２筐体：１０
サポートバルジ：１１
確保された空間：１２
中心軸：１３
位置制限器：１４
制限段差：１５
圧力レバー：１６
放出穴：１７
【考案を実施するための形態】
【００１８】
以下のテキストは、本考案の複数の実施形態の技術方式を明確および完全に説明する。明らかに、複数の実施形態は本考案の全ての実施形態ではなくそれらのうちいくつかの実施形態に過ぎない。本考案の複数の実施形態に基づき、当業者により創造的な作業なしでなされる他の全ての複数の実施形態が本考案の保護範囲に属する。
【００１９】
図１から図５を参照されたい。図１は、本考案の実施形態におけるヘアカーラーの全体構造図である。図２は、図１の断面図である。図３は、図２のＡ部の部分的拡大図である。図４は、図２のＢ部の部分的拡大図である。図５は、図１の左側図である。
【００２０】
本方式の特定の実施形態において、本本考案は一種のヘアカーラーを提供する。ヘアカーラーは、ハンドル４と、第１プレートと、第２プレートとを含む。第１プレートおよび第２プレートは主に、髪をストレートにする、およびカールさせるのために用いられる。第１プレート１は第１ヒーター７を有し、第２プレート２は第２ヒーター８を有する。第１ヒーター７および第２ヒーター８は、互いに対して配置され、髪をストレートにするために用いられる。第１プレート１および第２プレート２の筐体は、弧面として設計され、ヘアカーラーが髪をストレートにする機能と、カールさせる機能との両方を有するものにする。髪全体が確実に複数のプレートをスムーズに通るようにするために、本方式は、第１プレート１および第２プレート２が閉じられた状況にあるとき第１ヒーター７と第２ヒーター８との間に０．０６ｍｍから０．１２ｍｍの確保された空間１２があるようにする。
【００２１】
なお、第１プレート１および第２プレート２の閉じられた状況とは、２つのプレートが開いている状況ではないときに形成される最小の角度となる状態であり、この状況において、２つのプレートの距離は最小である。
【００２２】
具体的には、同電気製品の利用において第１ヒーター７と第２ヒーター８との間の髪の房がより少ないとき、２つのヒーター間に０．０６ｍｍから０．１２ｍｍである確保された空間１２があり、人毛の寸法がおよそ０．０８ｍｍであり、このことが意味するのは複数のプレートの間の髪の房がしっかりとは把持されないであろうということであるのを考慮し、ほぼ閉じられた状況になるまで複数のプレートを保持する。このやり方で、複数のプレートを閉じるときに生じる締付力は大幅に小さくなり、髪は、大きな締付力によって締め付けられる、またはダメージを受けることなく、確保された空間１２をスムーズに通る。
【００２３】
なお、第１ヒーター７と第２ヒーター８との間に確保された空間１２を形成する構造形態は多数ある。複数のヒーターの２つの側部をバルジと共に形成する、または第１プレート１および第２プレート２の他の位置においてヒーター７および第２ヒーター８を支持する複数のバルジを備えるなどがある。好ましくは、本考案は後者の方式を選択する。具体的には、本方式における第１プレート１は、既存の技術におけるフレキシブルなヒンジとかなり同様であるフレキシブルなヒンジにより第２プレート２とヒンジ接続される。２つのヒーターを支持するために、本方式において設計されるフレキシブルなヒンジには、第１プレート１および第２プレート２の相対的な回転を制限する位置制限器１４が備えられる。第２プレート２には、図４に示されるように、位置制限器１４に対応する制限段差１５が備えられる。具体的には、フレキシブルなヒンジは、中心軸１３と、圧力レバー１６と、トーションばね６とを含む。第１プレート１は、中心軸１３を、圧力レバー１６の複数のレバーアームのうち１つと接続し、中心軸１３周りに回転する。圧力レバー１６の他のレバーアームはトーションばね６に作用し、したがって、トーションばね６の弾力性を第１プレート１に伝え、したがって、第１プレート１および第２プレート２が締められた状態にする。本方式の実施形態においては、位置制限器１４が圧力レバー１６上に配置され、制限段差１５が第２プレート２内に配置される。位置制限器１４および制限段差１５が配置されることにより、第１プレート１と第２プレート２との間の最小の角度が制限され、これら２つのヒーターの直接的な接触が避けられ、このようにして確保された空間１２が形成される。
【００２４】
フレキシブルなヒンジを開け閉めする動きを行って長期に亘り利用した後には位置制限器１４が摩耗し得ることを考慮して、本方式は、確保された空間１２を特定の空間のために確保するために第２位置を支持する他の構造を用いた。好ましくは、第１プレート１および第２プレート２の両端にはサポートバルジ１１が備えられる。複数のサポートバルジ１１は互いに接触する。第１プレート１および第２プレート２が接触するとき、２つのサポートバルジ１１も接触し、したがって、図３に示されているように、これら２つのヒーターの他の側部を支え、確保された空間１２が狭まってしまわないよう、またはなくなってしまわないようにする。より好ましくは、本方式における複数のサポートバルジは球形の複数のバルジであり、これによって複数のサポートバルジ１１の接触面積が少なくなり、このやり方で、髪をカールさせるときに髪が複数のサポートバルジ１１間に把持されるのではなく、複数のサポートバルジ１１間をスムーズに通らせることが出来る。
【００２５】
第１プレート１と第２プレート２との間の髪が多く厚みが大きいとき、髪が加熱のためによりよく分布させられ複数のヒーター間をスムーズに通るように２つのヒーターの間で髪のバランスをよくする。好ましくは、第１ヒーター７と第１プレート１の筐体（つまり、第１筐体９）との間、また、第２ヒーター８と第２プレート２の筐体（つまり、第２筐体１０）との間に圧力ばね５が備えられる。複数の圧力ばね５の設定により、２つのヒーターが特定の範囲に関して２つのプレート間で浮いた状態となるようにすることが出来る。髪が多く厚みが大きいとき、または不均等に分布させられたとき、ユーザは、わざわざ第１プレート１および第２プレート２を開くことによって髪を再び調節するのではなく、圧力ばね５の弾力性よりも強い力を加えることにより空間を広げて髪を均等に、かつよりよく分布させることが出来る。
【００２６】
ユーザの使用体験をさらに最適化するために、好ましくは、第１ヒーター７と第１プレートの筐体との間に、また第２ヒーター８と第２プレートの筐体との間に２つの圧力ばね５が備えられる。各圧力ばね５に対して加えられる弾力は、２５ｇ〜７０ｇ（つまり、０．２４５Ｎ〜０．６８６Ｎ）である。つまり、各ヒーターに加えられる弾力は、５０ｇ〜１４０ｇ（つまり、０．４９Ｎ〜１．３７２Ｎ）である。本方式の実施形態の実験において弾力が検証され、ユーザは、強く引っ張ることによって髪にダメージを与えるのではなく、より容易に複数のヒーターの間に髪を置くことが出来た。
【００２７】
ヘアカーラーには、第１プレート１および第２プレート２を固定するべく、本考案のフレキシブルなヒンジが備えられている。したがって、複数のユーザは、複数のプレートを開くには、手でトーションばね６の弾力より強い力を加えなければならない。それには、第１プレート１の端部において締め金３が備えられており、第１プレート１および第２プレート２を開くために用いられる。頻繁に締め金を用いた後に指が痛くなることなくユーザが複数のプレートを開けるようにするのを助けるために、好ましくは、締め金において複数のプレートを開くための圧力の範囲は１．８ｌｂ〜３．８ｌｂ（つまり、８Ｎ〜１６．８９Ｎ）である。
【００２８】
なお、ばね係数、材料、またはサイズのようなトーションばね６の複数の仕様を調節する、締め金３から中心軸１３までの距離を調節する、トーションばね６から中心軸１３までの距離を調節するなど締め金３において開くことに関する圧力を調節するやり方には多くの種類がある。当業者は、圧力調節を実現する異なる方法を選択し得る。
【００２９】
複数のヒーターの温度は加熱時に１８０〜２００℃（３５６〜３９２°Ｆ）に達し得るので、伝熱に起因して複数のプレートの筐体は高温になる。筐体が過熱状態になったとき、ユーザの肌が火傷をする危険がある。この問題を解決すべく、好ましくは、本方式において、複数のサポートバルジ１１の面上には多くの熱放出穴１７がある。具体的には、熱放出穴１７は、複数のプレートの内部トンネル管と接続されている。複数のヒーターの熱はこれら熱放出穴１７から放散され、筐体の温度が低下させられる。
【００３０】
熱放散の効率性をさらに向上させるために、好ましくは、本方式において、複数のプレートの内管には、複数のプレートの内管の熱放散を促すべく小型の冷却ファンが備えられる。
【００３１】
本方式におけるヘアカーラーは筐体の温度を効果的に低下させるので、複数のプレート間の髪は高温でカールさせられ、筐体の面上の髪のセットがなされる。したがって、髪は、ヘアスプレーを用いることなく完璧なヘアスタイルとなり、コストが節約され、髪および頭皮が受けるダメージが少ない。
【００３２】
筐体の温度がかなり高いときに肌が火傷してしまうことを防ぐために、好ましくは、第１筐体９および第２筐体１０の両方のコーティングには感熱性色変化塗装が噴霧される。感熱性色変化塗装の温度が所定の値に達したとき、筐体の色が変化し、ユーザに注意喚起がなされ、ユーザの接触を避ける。
【００３３】
加えて、ヘアカーラーを用いるときには髪の大部分は濡れているので、カールさせる間に、髪に付いた水は蒸気となり、このことは筐体に向かう伝熱を増加させるであろう。この問題を解決するべく、好ましくは、第１ヒーター７および／または第２ヒーター８には蒸気放出のための複数の溝がある。具体的には、これらの溝は、ヒーターの長さ方向に従って複数のＶ溝または複数のＵ溝として設計される。蒸気の高い温度は溝に沿って空気中へ放散され得、温度が筐体へ伝わってしまうことを避けることが出来、したがって、筐体の温度を低下させ得る。
【００３４】
上記において言及した実施形態から、本考案のヘアカーラーは、用いられたときに髪を締め付けることなく、したがって、髪が複数のプレートをスムーズに通るようにすることが分かっていただけよう。さらに、感熱性色変化塗装および複数の熱放出穴１７のような複数の構造は、筐体の温度を低下させ、ユーザに注意喚起がなされ、肌が火傷をすることを避け、したがって、安全性を大幅に向上する。
【００３５】
開示された複数の実施形態の上記の教示は、当業者が本考案を実現する、または用いることを可能とする。当業者にとって、これら実施形態の修正は明らかであろう。本考案において規定されている一般的な複数の原理は、本考案の思想または範囲から逸脱することなく他の複数の実施形態において実現され得る。したがって、本考案は、上記の複数の実施形態に限定されず、本考案に開示された複数の原理および新たな複数の特徴の最も広い範囲に適用可能である。
【図１】
0003201456.tif 000003
【図２】
0003201456.tif 000004
【図３】
0003201456.tif 000005
【図４】
0003201456.tif 000006
【図５】
0003201456.tif 000007